(57)【特許請求の範囲】
【請求項１】
被処理ガスを燃焼する燃焼炉と、該燃焼炉と連通し、かつ仕切壁により仕切られ内部に蓄熱材を収容した複数の蓄熱塔を有する蓄熱室と、周方向に均等に仕切られ配置された前記蓄熱室の蓄熱塔と同数の仕切室を有する分配室と、相対応する蓄熱塔と仕切室とを連結する連結管と、各仕切室の下部ガス流通開口部を形成する固定弁と、該固定弁に対向配置されて被処理ガス供給用開口、処理済みガス排出用開口およびパージガス供給用開口を周方向に設けた回転弁と、該回転弁の被処理ガス供給用開口と連通する被処理ガス供給手段と、回転弁の処理済みガス排出用開口と連通するガス排出手段とを有し、前記回転弁の回転によるガス切替えにより被処理ガスを固定弁と分配室を介して各蓄熱塔に順次的に供給して加熱し、加熱された被処理ガスを燃焼炉で燃焼処理するとともに、処理済みガスを他の蓄熱塔に通して塔内蓄熱材を加熱したのち排出する回転分配式蓄熱燃焼装置において、前記回転弁の回転によるガス切替えに伴う蓄熱燃焼装置入口部のガス圧力変動を抑制する、回転弁の回転位置信号により出力調整される圧力補正手段を設けたことを特徴とする回転分配式蓄熱燃焼装置。
【請求項２】
前記圧力補正手段が回転弁のガス切替えに伴う圧力変動に対して、その変動する圧力の最大値を基準に、該圧力からの偏差分に相当する圧損を付加し、前記燃焼装置の被処理ガス取入れ点の静圧を時間に対して一定に抑制する手段であることを特徴とする請求項１記載の回転分配式蓄熱燃焼装置。
【請求項３】
被処理ガスを燃焼する燃焼炉と、該燃焼炉と連通し、かつ仕切壁により仕切られ内部に蓄熱材を収容した複数の蓄熱塔を有する蓄熱室と、周方向に均等に仕切られ配置された前記蓄熱室の蓄熱塔と同数の仕切室を有する分配室と、相対応する蓄熱塔と仕切室とを連結する連結管と、各仕切室の下部ガス流通開口部を形成する固定弁と、該固定弁に対向配置されて被処理ガス供給用開口、処理済みガス排出用開口およびパージガス供給用開口を周方向に設けた回転弁と、該回転弁の被処理ガス供給用開口と連通する被処理ガス供給手段と、回転弁の処理済みガス排出用開口と連通するガス排出手段とを有し、前記回転弁の回転によるガス切替えにより被処理ガスを固定弁と分配室を介して各蓄熱塔に順次的に供給して加熱し、加熱された被処理ガスを燃焼炉で燃焼処理するとともに、処理済みガスを他の蓄熱塔に通して塔内蓄熱材を加熱したのち排出する回転分配式蓄熱燃焼装置において、回転分配式燃焼装置への被処理ガス流入経路に外部ガス流入口を設け、この外部ガス流入口から吸込む流体量を回転弁と機械的に同期された弁手段または回転弁の回転位置信号により操作される弁手段により調節し、かつ前記回転弁の回転によるガス切替えに伴う蓄熱塔部ガス通路断面積の変化に対応して、回転弁の被処理ガス供給用開口部からのガス供給量を調整して、該燃焼装置におけるガス通過圧力損失の変動を抑制する手段を設けたことを特徴とする回転分配式蓄熱燃焼装置。
【請求項４】
被処理ガスを燃焼する燃焼炉と、該燃焼炉と連通し、かつ仕切壁により仕切られ内部に蓄熱材を収容した複数の蓄熱塔を有する蓄熱室と、周方向に均等に仕切られ配置された前記蓄熱室の蓄熱塔と同数の仕切室を有する分配室と、相対応する蓄熱塔と仕切室とを連結する連結管と、各仕切室の下部ガス流通開口部を形成する固定弁と、該固定弁に対向配置されて被処理ガス供給用開口、処理済みガス排出用開口およびパージガス供給用開口を周方向に設けた回転弁と、該回転弁の被処理ガス供給用開口と連通する被処理ガス供給手段と、回転弁の処理済みガス排出用開口と連通するガス排出手段とを有し、回転弁の回転によるガス切替えにより被処理ガスを固定弁と分配室を介して各蓄熱塔に順次的に供給して加熱し、加熱された被処理ガスを燃焼炉で燃焼処理するとともに、処理済みガスを他の蓄熱塔に通して塔内蓄熱材を加熱したのち排出する回転分配式蓄熱燃焼装置において、前記回転弁の被処理ガス供給用開口と連通する被処理ガス供給路に流動抵抗体を設け、その流動抵抗量を回転弁の回転と同期させて調節して、前記蓄熱式燃焼装置の被処理ガス取入口の静圧を時間に対して一定に抑制する手段を設けたことを特徴とする回転分配式蓄熱燃焼装置。
【発明の詳細な説明】
【０００１】
【発明の属する技術分野】
本発明は、回転分配式蓄熱燃焼装置に係り、 特に揮発性有機化合物（以下、ＶＯＣという）等を含むガスを燃焼処理し、さらにその熱を再生利用する回転分配式蓄熱燃焼装置であって、ガス燃焼処理中の装置内の圧力変動を抑制し、被処理ガス排出源に圧力変動による悪影響が及ぶのを防止するようにした回転分配式蓄熱燃焼装置に関するものである。
【０００２】
【従来の技術】
自動車の塗装工場、金属洗浄装置、印刷工場などからは、トルエン、キシレン、スチレン等の揮発性有機化合物を含んだ排ガスが発生する。このようなＶＯＣガスは、せいぜい数十ppm から数％程度の濃度であるが、環境への影響がかなり大きいことが明らかになってきた。例えば、（１）ＮＯｘと反応して光化学スモッグが発生し、森林が枯死したり人体へ悪影響を及ぼす、（２）発ガン性など人体に健康障害を起こさせる、（３）光化学オキシダントの主成分であるオゾンの対流圏内での増加により地球温暖化が生じるなどである。このため、前記業界ではＶＯＣ排ガスを処理し、無害化して大気に排出する傾向にある。
【０００３】
従来、ＶＯＣ処理方法としては、直接燃焼式、触媒燃焼式、触媒燃焼／蓄熱方式、濃縮方式、生物処理方式があるが、ＶＯＣ濃度量変動への対応、ランニングコスト、保守保全を考慮すると蓄熱触媒燃焼および蓄熱燃焼式が有力視されている。
【０００４】
蓄熱式の熱交換に必要なガスの切替装置には、切替弁方式と回転分配弁方式が挙げられる。この中でも回転分配弁方式はコンパクト化が可能であり、ガスを連続的に分配できるという特長を有しているため、広く普及しつつある。
【０００５】
回転分配式蓄熱燃焼装置の構成を図２、図６、図７および図８により説明する。図６は、従来技術における回転分配式蓄熱燃焼装置の全体構成斜視図、図７は該蓄熱燃焼装置における回転分配器の分配室、固定弁および回転弁の説明図、図８は分配室の下部ガス流通開口部に設けられた固定弁の下方から見た平面図である。
【０００６】
図６、図７、図８および図２に示すように、この装置は、分配器１３は円筒状本体９ａを軸方向に沿って軸を含む面（壁面）で８等分に分割された仕切室よりなる分配室９と、分配室の下部に固定された固定弁７と、該固定弁と摺動する回転弁６と、各仕切室と蓄熱室とを連結する連結管８と、被処理ガスヘッダ４および処理済みガスヘッダ５を有する。
固定弁７は図８に示すように分配室下端入口部に設けられ、８個の扇形開口は８個の仕切室のそれぞれの入口部を構成する。７ａは開口部である。
【０００７】
回転弁６は図６に示すように回転軸１５と結合され、スプロケット１６、チェーン１７により回転駆動される。また、図７に示すように、被処理ガス開口６１、処理済みガス開口６２、閉塞部６３と、開口６１と開口６２の中間に設けられたパージ空気開口６４を有し、回転弁６と固定弁７の摺動面間にはガス漏洩防止用シール部材が設けられている。
【０００８】
分配室により分配された被処理ガス１は連結管８を通り蓄熱室１０に入る。蓄熱室は隔壁により複数の蓄熱塔１０−１、１０−２、１０−３……に分割されており、各塔には熱媒体となる蓄熱体１０ａが装填されている。被処理ガス１は蓄熱塔を通過中、蓄熱体により加熱され昇温する。その後、燃焼触媒２３を通過することにより、被処理ガス中の有機ガス成分は燃焼炉１１内の燃焼室を通過する間に完全燃焼し処理される。また、蓄熱塔においての被処理ガスの昇温が不充分な場合（触媒温度検出器２４または炉内温度制御用温度検出器３５で検出）、燃焼室に設置された補助熱源（バーナ、電熱ヒータ等）１２を用いて被処理ガスを完全燃焼させる。
【０００９】
完全燃焼した処理済みガス３は、燃焼炉内燃焼室から反転して被処理ガスが通過した蓄熱塔とは別の蓄熱塔の上端から下向きに流入する。該高温の処理済みガスはこの蓄熱塔を通過中に蓄熱体によって熱が回収され、蓄熱塔出口では低温となる。蓄熱塔通過後の処理済みガスは連結管８により分配室９に導かれる。これらの動作を連続させるために、高温の処理済みガスにより加熱された蓄熱塔には低温の被処理ガスを流入させて昇温させるという具合に、被処理ガスと高温の処理済みガスを交互に切替える必要がある。分配器１３はこのガスの入替えの機能を持つ。また、被処理ガスの昇温に用いられた蓄熱塔において、通過ガスを被処理ガスからそのまま処理済みガスに切替えた場合、蓄熱塔内に残っている未燃の被処理ガスが処理済みガスに混入するため装置のガス浄化効率が低下する。これを防ぐために、蓄熱塔が被処理ガス昇温工程から処理済みガス通過に切替わる間に、ＶＯＣを含まないパージ用空気をこの蓄熱塔内に送り、蓄熱塔内の未燃被処理ガスを燃焼炉内に押し込む機構が必要となる。分配器はこのパージ空気を分配する機能もあわせ持つ。
【００１０】
分配器の構成、機能を図７および図２を用いてさらに説明する。分配器１３は大まかに被処理ガスヘッダ４、処理済みガスヘッダ５、回転弁６、分配室９により構成される。分配室９は、図２に示すように８個の室に隔壁で仕切られ、各仕切室はそれぞれ１個の連結管により１個の蓄熱塔に連結されている。被処理ガスヘッダ４、処理済みガスヘッダ５は回転弁６により仕切室とは隔てられている。回転弁６には、被処理ガス用開口６１、処理済みガス用開口６２が設けられており、各開口を介して被処理ガスヘッダ４と複数の仕切室、処理済みガスヘッダ５と別の複数の仕切室が連通している。被処理ガス１は被処理ガスヘッダ４に流入後回転弁６の被処理ガス用開口６１と連通した仕切室（図２の（ａ）の（イ）、（ロ）、（ハ））に入る。その後、被処理ガス１は連結管８により蓄熱塔に導かれる。また、処理済みガス３は蓄熱塔から連結管８により仕切室（図２の（ａ）の（ホ）、（ヘ）、（ト））に導かれた後、回転弁６の処理済みガス用開口６２を通過し処理済みガスヘッダ５に入り、その後、排ガスダクトを通り排出される。パージ用空気開口６４は、前記開口６１と開口６２の中間位置の回転弁内に設けられ、蓄熱塔内の被処理ガスをパージ空気供給口２７から供給された空気２により燃焼炉に押し込む。図２を用いて分配弁が連続的に各ガスを分配する機能をさらに説明する。図２（ａ）では仕切室（イ）、（ロ）、（ハ）が被処理ガス用開口６１を経て被処理ガスヘッダ４と連通し、仕切室（ホ）、（ヘ）、（ト）が処理済みガス用開口６２を経て処理済みガスヘッダ５と連通している。図２（ｂ）は図２（ａ）よりも時間が進み回転弁６がある程度回転した時点を示す。この場合仕切室（ロ）、（ハ）、（ニ）が被処理ガスヘッダ４と連通し、仕切室（ヘ）、（ト）、（チ）が処理済みガスヘッダ５と連通している。このように回転弁が時間の経過とともに回転し、仕切室と連通するガス室（被処理ガスヘッダ、処理済みガスヘッダ）を切替えることにより、回転弁は連続的にガスを分配する。
【００１１】
【発明が解決しようとする課題】
図２（ｃ）に図２（ａ）と図２（ｂ）の中間時点での回転弁の状態を示す。この場合では仕切室（イ）、（ロ）、（ハ）、（ニ）が前記開口６１を介して被処理ガスヘッダ４と連通し、仕切室（ホ）、（ヘ）、（ト）、（チ）が前記開口６２を介して処理済みガスヘッダ５と連通している。この場合、蓄熱塔の４室が被処理ガス用として使われ、残りの４室が処理済みガス用として使われる。また、図２（ａ）、図２（ｂ）の場合では３室が被処理ガス用として使われ、３室が処理済みガス用として使われる。このように回転弁を用いたガス分配では分配される部屋数が経時的に変化する。
【００１２】
上記のように処理に使われる部屋数が変化した場合、処理されるガス量は一定であると仮定した場合、蓄熱塔内でのガス流速が変化する。図２の場合では処理に用いられる蓄熱塔の数が３つと４つの間で変化するため、３つの場合を基準とすると４つの場合では蓄熱塔の合計断面積が４／３となり、蓄熱塔内のガス流速が３／４となる。蓄熱体の圧力損失は流速の１乗に比例するので（３／４）＝０．７５倍に低減する。蓄熱塔内の蓄熱体における圧力損失は装置全体の大部分を占めるため、蓄熱塔内でのガス流速が変化するとガス処理装置全体での流動抵抗が大きく変化することになる。この圧力変動が上流のＶＯＣ排出設備まで伝達すると、その装置に悪影響を及ぼす場合がある。例えば塗装工場から出るＶＯＣ含有ガスを処理する場合、圧力変動が塗装設備まで伝達すると塗装ムラなどの原因となることが知られている。本発明の課題は、この圧力変動を抑制することにある。
【００１３】
【課題を解決するための手段】
上記課題を解決するため、本願で特許請求する発明は以下のとおりである。
（１）被処理ガスを燃焼する燃焼炉と、該燃焼炉と連通し、かつ仕切壁により仕切られ内部に蓄熱材を収容した複数の蓄熱塔を有する蓄熱室と、周方向に均等に仕切られ配置された前記蓄熱室の蓄熱塔と同数の仕切室を有する分配室と、相対応する蓄熱塔と仕切室とを連結する連結管と、各仕切室の下部ガス流通開口部を形成する固定弁と、該固定弁に対向配置されて被処理ガス供給用開口、処理済みガス排出用開口およびパージガス供給用開口を周方向に設けた回転弁と、該回転弁の被処理ガス供給用開口と連通する被処理ガス供給手段と、回転弁の処理済みガス排出用開口と連通するガス排出手段とを有し、前記回転弁の回転によるガス切替えにより被処理ガスを固定弁と分配室を介して各蓄熱塔に順次的に供給して加熱し、加熱された被処理ガスを燃焼炉で燃焼処理するとともに、処理済みガスを他の蓄熱塔に通して塔内蓄熱材を加熱したのち排出する回転分配式蓄熱燃焼装置において、前記回転弁の回転によるガス切替えに伴う蓄熱燃焼装置入口部のガス圧力変動を抑制する、回転弁の回転位置信号により出力調整される圧力補正手段を設けたことを特徴とする回転分配式蓄熱燃焼装置。
【００１４】
（２） 前記圧力補正手段が回転弁のガス切替えに伴う圧力変動に対して、その変動する圧力の最大値を基準に、該圧力からの偏差分に相当する圧損を付加し、前記燃焼装置の被処理ガス取入れ点の静圧を時間に対して一定に抑制する手段であることを特徴とする（１）記載の回転分配式蓄熱燃焼装置。
【００１５】
（３） 被処理ガスを燃焼する燃焼炉と、該燃焼炉と連通し、かつ仕切壁により仕切られ内部に蓄熱材を収容した複数の蓄熱塔を有する蓄熱室と、周方向に均等に仕切られ配置された前記蓄熱室の蓄熱塔と同数の仕切室を有する分配室と、相対応する蓄熱塔と仕切室とを連結する連結管と、各仕切室の下部ガス流通開口部を形成する固定弁と、該固定弁に対向配置されて被処理ガス供給用開口、処理済みガス排出用開口およびパージガス供給用開口を周方向に設けた回転弁と、該回転弁の被処理ガス供給用開口と連通する被処理ガス供給手段と、回転弁の処理済みガス排出用開口と連通するガス排出手段とを有し、前記回転弁の回転によるガス切替えにより被処理ガスを固定弁と分配室を介して各蓄熱塔に順次的に供給して加熱し、加熱された被処理ガスを燃焼炉で燃焼処理するとともに、処理済みガスを他の蓄熱塔に通して塔内蓄熱材を加熱したのち排出する回転分配式蓄熱燃焼装置において、回転分配式燃焼装置への被処理ガス流入経路に外部ガス流入口を設け、この外部ガス流入口から吸込む流体量を回転弁と機械的に同期された弁手段または回転弁の回転位置信号により操作される弁手段により調節し、かつ前記回転弁の回転によるガス切替えに伴う蓄熱塔部ガス通路断面積の変化に対応して、回転弁の被処理ガス供給用開口部からのガス供給量を調整して、該燃焼装置におけるガス通過圧力損失の変動を抑制する手段を設けたことを特徴とする回転分配式蓄熱燃焼装置。
【００１７】
（４）被処理ガスを燃焼する燃焼炉と、該燃焼炉と連通し、かつ仕切壁により仕切られ内部に蓄熱材を収容した複数の蓄熱塔を有する蓄熱室と、周方向に均等に仕切られ配置された前記蓄熱室の蓄熱塔と同数の仕切室を有する分配室と、相対応する蓄熱塔と仕切室とを連結する連結管と、各仕切室の下部ガス流通開口部を形成する固定弁と、該固定弁に対向配置されて被処理ガス供給用開口、処理済みガス排出用開口およびパージガス供給用開口を周方向に設けた回転弁と、該回転弁の被処理ガス供給用開口と連通する被処理ガス供給手段と、回転弁の処理済みガス排出用開口と連通するガス排出手段とを有し、回転弁の回転によるガス切替えにより被処理ガスを固定弁と分配室を介して各蓄熱塔に順次的に供給して加熱し、加熱された被処理ガスを燃焼炉で燃焼処理するとともに、処理済みガスを他の蓄熱塔に通して塔内蓄熱材を加熱したのち排出する回転分配式蓄熱燃焼装置において、前記回転弁の被処理ガス供給用開口と連通する被処理ガス供給路に流動抵抗体を設け、その流動抵抗量を回転弁の回転と同期させて調節して、前記蓄熱式燃焼装置の被処理ガス取入口の静圧を時間に対して一定に抑制する手段を設けたことを特徴とする回転分配式蓄熱燃焼装置。
【００１８】
【発明の実施の形態】
本願発明になる回転分配式蓄熱燃焼装置の圧力損失変動抑制、すなわち前記装置入口被処理ガス圧力の変動を抑制する要領を図３を用いて説明する。図３におけるＡの線は、圧力変動の抑制を行わない従来の方式での回転分配式蓄熱燃焼装置の入口−出口間の圧力損失の変動を示す。回転分配式蓄熱燃焼装置では、処理に使われる蓄熱室の数が周期的に変動することにより圧力損失変動も周期的に発生する。処理ガス量が一定と仮定すると圧損の最大値、最小値は常に一定である。Ｂの線は前記圧損の最大値との差の水位を示す。この差は周期的に変化するが、この圧損差分を補償するものを回転分配式蓄熱燃焼装置に付加すれば、全体の圧力損失はＣの線のようにほぼ一定になる。以上のように、圧損の最大値からの圧力差分を付加すことにより装置全体の圧力変動を抑制することができる。
【００１９】
圧力損失変動を流動抵抗付与によって緩和する場合は、次のようなメカニズムとなる。被処理ガス流入経路、例えば入口ダクトに開度可変ダンパ等による圧力損失を付与する。そして、この付与圧力損失を分配器による圧力損失変動の周期に合わせ変化させる。このことにより周期的に発生する圧力変動に対し、この圧力変動を抑制することができる。また、この方法はフィードバック制御とは異なり、既知の回転分配式蓄熱燃焼装置の圧力変動波形をもとに圧損を付加するため、制御遅れが発生せず被処理ガス流量、圧力変動に関して安定な運転を可能にする。
【００２０】
圧力変動をガス量の増減で緩和する場合は、次の原理による。外部から流入するガス流量を調節し蓄熱体を通過するガス流速を一定にすることにより、圧力変動を緩和するものである。例えば処理される蓄熱塔の数が３室と４室の間で変化する場合、４室のときに蓄熱室断面積が３室のときの４／３倍になり１／３増加する。これに対応して被処理ガス流量の１／３の外部ガスを流入させる。このことにより処理される蓄熱塔の数が変化しても、蓄熱室内でのガス流速を一定に保つことができ、また蓄熱室内でのガス流速を一定に保つことにより、蓄熱室で発生する圧力損失変動を一定に保つことができる。
また、ガス流量を変化させることで分配器内の圧力損失が変動するが、分配器内での圧損は蓄熱室に較べて非常に小さいので、装置全体の圧力変動には影響をほとんど与えない。
【００２１】
流速で圧力変動緩和する方法には分配器内に外部ガス流入口を持つものと、被処理ガス流入経路上の外部ガス流入ダクトより外部ガスを流入させるものがある。外部ガス流入ダクトより外部ガスを流入させる場合は、該ダクト上に設けられた可変ダンパ等により吸込むガス量を調節し、分配器に流入するガス量を調節する。分配器内で外部ガスを流入させる場合は、分配器の回転板と動きを同期させた外部ガス吸込み弁より外部ガスを流入させる。
【００２２】
【実施例】
以下、本発明の具体的実施例について説明する。
実施例１
本発明の第１の実施の形態を図１に従って示す。本実施の形態にかかる回転分配式蓄熱燃焼装置が従来構造と異なるところは、回転軸１５の端部付近に設けられた発信機２０より回転軸１５の回転周期の信号を発信し、該信号をもとに被処理ガス１の入口ダクト上に設けられたダンパ１８の開度を調節し、回転分配式燃焼蓄熱式ＶＯＣ処理装置入口−出口間の圧力差を調節できるようになっていることである。図２は図１のII−II断面斜視図であり、回転弁６の回転位置により被処理ガス開口６１、処理済みガス開口６２と連通する仕切室の数が増減する。図２（ａ）、図２（ｂ）のとき処理に用いられる蓄熱塔の数が最小（被処理ガス側３塔、処理済みガス側３塔）となるため、蓄熱室での圧損が最大になり、図２（ｃ）のとき処理に用いられる蓄熱塔の数が最大（被処理ガス側４塔、処理済みガス側４塔）になるため、蓄熱室での圧損が最小になる。このように回転弁６の回転角度により、蓄熱室での圧損の値は決定される。そこで回転軸端付近の発信機２０からの信号により、蓄熱室での圧損が最大になったとき（図２（ａ）、図２（ｂ））ダンパ１８が全開になり、蓄熱室での圧損が最小になったとき（図２（ｃ））ダンパ１８の開度が最小になるように調節されている。
【００２３】
図３のＡの線は圧力変動の抑制を行わない従来の方式での回転分配式蓄熱燃焼装置の入口−出口間の圧力損失変動を示す。被処理ガスの流量が一定であると仮定すると圧力変動波形は一様であることを利用し、被処理ガス入口ダクト上に設けられたダンパにより、変動する圧力損失の最大値を基準に、該波形からの偏差分に相当する圧損を付加し、被処理ガス取合い点７０の静圧を時間に対して一定にする。図３のＢの線は、ダンパの抵抗により付加された圧力損失の時間に対する推移を示す。圧力損失変動に対し、圧力損失変動と同じ周期で被処理ガスに圧損を付加することにより、回転分配式蓄熱燃焼装置の被処理ガス入口圧力の変動を抑制することができる。
【００２４】
実施例２
本発明の第２の実施の形態を図４に従って示す。本実施例にかかる回転分配式蓄熱燃焼装置が従来構造と異なるところは、回転軸端付近に設けられた発信機２０より回転軸の回転角の信号を発信し、該信号をもとに外部ガス流入ダクト２２上に設けられたダンパ２１の開度を調節し、回転分配式蓄熱燃焼装置に流入するガス流量を調節できるようになっていることである。図２は図４のII−II断面斜視図でもあり、回転弁６の回転位置により被処理ガス開口６１、処理済みガス開口６２と連通する分配室９の仕切室の数が増減する。図２（ａ）、図２（ｂ）のとき処理に用いられる蓄熱塔の数が最小となり蓄熱室でのガス流速が最大、圧損が最大になり、図２（ｃ）のとき処理に用いられる蓄熱塔の数が最大になるため、蓄熱室でのガス流速が最小、圧損が最小になる。このように回転弁の回転角度により、処理に用いられる蓄熱塔の数が変化し、蓄熱塔内でのガス流速が変化する。そこでダンパ２１は発信機２０からの回転軸の回転角度の信号をもとに動作させる。この実施例では処理に用いられる蓄熱塔の数が３室と４室の間で変化するが、４室のときに蓄熱室断面積が３室のときの４／３倍になる。そこで被処理ガス量の１／３の外部ガスを流入させることで全体の流量を４／３倍にする。
【００２５】
このことにより処理される蓄熱塔の数が変化しても、蓄熱室内でのガス流速を時間に対して一定に保つことができ、蓄熱室で発生する圧力変動を抑制することができる。また、ガス流量を変化させることで分配器内の圧力損失が変動するが、分配器内での圧損は蓄熱塔に較べて非常に小さいので、装置全体の圧力変動には影響をほとんど与えない。
【００２６】
実施例３
本発明の第３の実施の形態を図５に従って示す。本実施例が前記実施例２と違うところは、分配器自体が処理ガス量調節機能を持っていることである。回転分配器被処理ガス室底部３０には１つの孔３１があけられており、該底部に接し回転円板２５が設けてあり、該円板２５には８つの孔２５ａが設けてあり、回転円板２５が１回転する間に、８回外部と被処理ガス室が連通し、外部からガスが被処理ガス室に入り込むようになっている。図２は図５のII−II断面斜視図でもある。図２（ａ）、図２（ｂ）のとき処理に用いられる蓄熱塔の数が最小となり蓄熱室でのガス流速が最大、圧損が最大になり、図２（ｃ）のとき処理に用いられる蓄熱塔の数が最大になるため、蓄熱室でのガス流速が最小、圧損が最小になる。このように回転弁の回転角度により、処理に用いられる蓄熱塔の数が変化し、蓄熱塔内でのガス流速が変化する。そこで処理に用いられる蓄熱塔の数が増大したときに分配器底部から外部ガスを吸込むタイミングを合わせる。この実施の形態では処理に用いられる蓄熱塔の数が３室と４室の間で変化するが、４室のときに蓄熱室断面積が３室のときの４／３倍になる。そこで被処理ガス量の１／３の外部ガスを吸込むことで全体の流量を４／３倍にする。
【００２７】
このことにより処理される蓄熱塔の数が変化しても、蓄熱室内でのガス流速を時間に対して一定に保つことができ、蓄熱室で発生する圧力変動を抑制することができる。また、ガス流量を変化させることで分配器内の圧力損失が変動するが、分配器内での圧損は蓄熱室に較べて非常に小さいので、装置全体の圧力変動には影響をほとんど与えない。
【００２８】
【発明の効果】
本願発明では、分配器内の回転弁の回転位置により発生する回転分配式蓄熱燃焼装置内通過ガス圧力損失の変動、それによる該装置入口被処理ガス圧力の変動に対し、それを補償抑制する手段、例えば追加ガス流量の調整、あるいはダンパなどによるガス通過抵抗の調整等を行うようにしているので、回転分配式蓄熱燃焼装置入口のガス圧力変動による被処理ガス発生源に対する悪影響を防止することができる。
【図面の簡単な説明】
【図１】本発明の一実施例である回転分配式蓄熱燃焼装置の全体図。
【図２】分配室の断面斜視図。
【図３】回転分配式蓄熱燃焼装置の圧力変動と付加される圧損の時間に対する推移を示す説明図。
【図４】本発明の他の実施例である回転分配式蓄熱燃焼装置の全体図。
【図５】本発明の別の実施例である回転分配式蓄熱燃焼装置の全体構成斜視図。
【図６】従来技術における回転分配式蓄熱燃焼装置の全体図。
【図７】従来技術における回転分配式蓄熱燃焼装置の分配室、固定弁回転弁の説明図。
【図８】分配室下部ガス流通開口部に設けた固定弁の説明図。
【符号の説明】
１…被処理ガス、２…パージ空気、３…処理済みガス、４…被処理ガスヘッダ、５…処理済みガスヘッダ、６…回転弁、７…固定弁、８…連結管、９…分配室、１０…蓄熱室、１０ａ…蓄熱体、１１…燃焼炉、１２…熱源（バーナ）１３…分配器、１５…回転軸、１６…スプロケット、１７…チェーン、１８…ダンパ、２０…発信機、２１…外部ガス流量制御用ダンパ、２２…外部ガスダクト、２３…燃焼触媒、２４…触媒温度検出器、２５…回転板、２５ａ…回転板に設けた孔、２６…パージ空気流量制御用ダンパ、２７…パージ用空気供給口、３０…被処理ガス室底部、３１…被処理ガス室底部孔、３５…炉内温度制御用温度検出器、６１…被処理ガス開口、６２…処理済みガス開口、６３…回転板閉塞部、６４…パージ空気用開口、７０…被処理ガス取合い点。
【図１】
0003917403.tif 000002
【図２】
0003917403.tif 000003
【図３】
0003917403.tif 000004
【図４】
0003917403.tif 000005
【図５】
0003917403.tif 000006
【図６】
0003917403.tif 000007
【図７】
0003917403.tif 000008
【図８】
0003917403.tif 000009